【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
遊技場から該遊技場の会員である会員遊技者に対して電子メールを送信するための遊技場システムであって、
少なくとも前記会員遊技者の電子メールアドレスを含む該会員遊技者に関する情報を会員遊技者毎に記憶する会員情報記憶部と、
前記遊技場に来場した前記会員遊技者を特定可能な会員遊技者特定情報を受け付けて、該受け付けた会員遊技者特定情報に基づいて該会員遊技者の来場履歴を記憶する来場履歴記憶部と、
該来場履歴記憶部に記憶された来場履歴に基づいて、所定期間における前記遊技場への来場頻度を算出する来場頻度算出手段と、
該来場頻度算出手段にて算出された来場頻度に基づいて、所定期間における来場頻度が、過去の所定期間における来場頻度よりも低い前記会員遊技者を前記会員情報記憶部から抽出する会員遊技者抽出手段と、
前記遊技場への来場を促すためのサービス情報を含む電子メールを前記会員遊技者抽出手段にて抽出された前記会員遊技者の電子メールアドレス宛に送信する電子メール送信手段と、
該電子メール送信手段により電子メールを送信した会員遊技者を特定可能な送信履歴を記憶する送信履歴記憶部と、
該送信履歴記憶部に記憶された送信履歴と前記来場履歴記憶部に記憶された来場履歴に基づいて、前記電子メールの送信に応じて遊技場に来場した会員遊技者を特定する来場者特定手段と、を備え、
前記会員遊技者抽出手段は、該来場者特定手段により特定された会員遊技者を抽出対象から除外して前記抽出を行うことを特徴とする遊技場システム。
【請求項２】
請求項１に記載した遊技場システムであって、
前記送信履歴記憶部に記憶された電子メールの送信履歴と前記来場履歴記憶部に記憶された来場履歴に基づいて前記電子メールを送信した前記会員遊技者の前記遊技場への来場数を集計する来場数集計手段を備えることを特徴とする遊技場システム。
【請求項３】
請求項１又は２に記載した遊技場システムであって、
前記送信履歴記憶部に記憶された電子メールの送信履歴と前記来場履歴記憶部に記憶された来場履歴に基づいて所定数の前記電子メールを送信した前記会員遊技者に対応する前記来場履歴がない会員遊技者を前記電子メールの送信対象から除外する処理を行う送信除外処理手段を備えることを特徴とする遊技場システム。
【手続補正２】
【補正対象書類名】明細書
【補正対象項目名】０００７
【補正方法】変更
【補正の内容】
【０００７】
まず請求項１に係る発明は、遊技場から該遊技場の会員である会員遊技者に対して電子メールを送信するための遊技場システム（１）であって、少なくとも前記会員遊技者の電子メールアドレスを含む該会員遊技者に関する情報を会員遊技者毎に記憶する会員情報記憶部（会員情報ＤＢ２３ａ）と、前記遊技場に来場した前記会員遊技者を特定可能な会員遊技者特定情報（会員ＩＤ）を受け付けて、該受け付けた会員遊技者特定情報に基づいて該会員遊技者の来場履歴を記憶する来場履歴記憶部（来場履歴ＤＢ２３ｂ）と、該来場履歴記憶部に記憶された来場履歴に基づいて、所定期間における前記遊技場への来場頻度を算出する来場頻度算出手段（制御部２２）と、該来場頻度算出手段にて算出された来場頻度に基づいて、所定期間における来場頻度が、過去の所定期間における来場頻度よりも低い前記会員遊技者を前記会員情報記憶部から抽出する会員遊技者抽出手段（制御部２２）と、前記遊技場への来場を促すためのサービス情報を含む電子メールを前記会員遊技者抽出手段にて抽出された前記会員遊技者の電子メールアドレス宛に送信する電子メール送信手段（通信部２１ｂ）と、該電子メール送信手段により電子メールを送信した会員遊技者を特定可能な送信履歴を記憶する送信履歴記憶部（送信履歴ＤＢ２３ｃ）と、該送信履歴記憶部に記憶された送信履歴と前記来場履歴記憶部に記憶された来場履歴に基づいて、前記電子メールの送信に応じて遊技場に来場した会員遊技者を特定する来場者特定手段（制御部２２）と、を備え、前記会員遊技者抽出手段は、該来場者特定手段により特定された会員遊技者を抽出対象から除外して前記抽出を行うことを特徴とする遊技場システムである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また請求項２に係る発明は、請求項１に記載した遊技場システム（１）であって、前記送信履歴記憶部（送信履歴ＤＢ２３ｃ）に記憶された電子メールの送信履歴と前記来場履歴記憶部（来場履歴ＤＢ２３ｂ）に記憶された来場履歴に基づいて前記電子メールを送信した前記会員遊技者の前記遊技場への来場数を集計する来場数集計手段（制御部２２）を備えることを特徴とする遊技場システムである。
【手続補正６】
【補正対象書類名】明細書
【補正対象項目名】００１１
【補正方法】変更
【補正の内容】
【００１１】
さらに請求項３に係る発明は、請求項１又は２に記載した遊技場システム（１）であって、前記送信履歴記憶部（送信履歴ＤＢ２３ｃ）に記憶された電子メールの送信履歴と前記来場履歴記憶部（来場履歴ＤＢ２３ｂ）に記憶された来場履歴に基づいて所定数の前記電子メールを送信した前記会員遊技者に対応する前記来場履歴がない会員遊技者を前記電子メールの送信対象から除外する処理を行う送信除外処理手段（制御部２２）を備えることを特徴とする遊技場システムである。
【手続補正７】
【補正対象書類名】明細書
【補正対象項目名】００１２
【補正方法】変更
【補正の内容】
【００１２】
まず請求項１に係る遊技場システムによれば、所定期間における来場頻度が過去の所定期間における来場頻度よりも低い会員遊技者の電子メールアドレス宛に、遊技場への来場を促すためのサービス情報を含む電子メールを送信できるので、遊技場への来場頻度が低下した会員遊技者に対して来場意欲を喚起することができ、結果として来場頻度が低下した会員遊技者の来場頻度を向上させることができると共に、電子メールの送信に対して遊技場に来場した会員遊技者は抽出対象から除外されるので、該会員遊技者に対してサービス情報を含む電子メールが毎回送信されてしまうという不公平な事態を回避できる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
また請求項２に係る遊技場システムによれば、電子メールを送信した会員遊技者の来場数が集計されるので、該集計された情報に基づいて、電子メールの送信数に対する来場した会員遊技者数の比較や、電子メールの送信数に対する来場率の算出等を行って、電子メールの送信効果を確認できる。
【手続補正１１】
【補正対象書類名】明細書
【補正対象項目名】００１６
【補正方法】変更
【補正の内容】
【００１６】
さらに請求項３に係る遊技場システムによれば、遊技場側で来場を見込めないと判断した会員遊技者を電子メールの送信対象から除外できるので、遊技場と遊技者の双方にとって無駄となる電子メールを無くすことができる。